(57)【要約】【目的】地球環境の悪化に伴い、人類は、３０年、５０年といった先の先迄も元気で、キレイで長生きできるよう、科学技術力を向上していかねばならない。健康環境改善の必需品としての、無光。光触媒技術力で、廃品を新商品に生かし、医療の質向上にも寄与できるものを提供する。【構成】種々の母材に配合、混練りし、耐久性のある粒、粉、板、糸、筒などを、これ又、無害の容器、袋などで地環にやさしい構成とする。【選択図】  図１
2004337832.tif 000002
【特許請求の範囲】
【請求項１】
米、麦、豆、蕎麦、グアーガム（インド産豆）、薬豆（韓国産豆）等の穀物類の実そのもの。及び実の発泡加工済のもの。さらに、もみ殻、やし殻等を含めた植物の実の外側の殻の乾燥品、等を母材にし、トルマリン、ゲルマニウム、トリウム等のイオン鉱石粉、を３〜２５％（ＷＴ）、光触媒酸化チタン粉３〜１５％（ＷＴ）、防カビ剤アピダス３〜５％（ＷＴ）、天然植物ホルモン剤５〜２０％（ＷＴ）をよく混合し、さらに鉄Ｆｅを３〜２０％（ＷＴ）の投入後、１）水溶接系エポキシ樹脂接合液、２）基材をアクリル共重合物でなる水溶接合液、３）スチレンブタジエンゴムにノルマルベタンアセトン等の溶材を入れた接合液、４）メタクリレート、エステル系接合液、５）シリコーン系水溶液接合液等の中から選択したものに投入後、ミキサー混合液を上記母材の表面にコーテング担持して次に乾燥してなる改質用粒、粉、板。
また、母材を、竹、木、紙、セルロース、糸、木綿繊維、やし殻等の活性炭（炭化剤）カーボン等の加工品化処理済のもの。
さらに、上記炭化前の粒、粉、糸の生の儘のものそのものを母材とするものにコーテングしてなる改質用粒、粉、板、及び糸等。
発泡済母材はやし殻活性炭、セルローズ炭に近似比重をし、約０．１５。非発泡品は約２倍で用途別使用とした。
【請求項２】
請求項１の炭化品を含む全ての材料（母材）を温水接合剤を容器又は混合ミキサーに入れ、投入剤の酸化チタン等を全部入れ、ミキサー後、押出桟、点下ノズル、ボール成形桟等で成形してなる気液体改質用粒、粉、糸、板。尚、発泡品は、ノズル等、泥状のものが、ノズルからでた後に直ちに発泡液に接触するよう特殊装置とした。もの
【請求項３】
発泡の困難な材料の樹脂、金属、石、セラミック砂、骨、カーボン等は、粒、板等の表面形状を変え、ざらざらにし凹凸を多く、大表面積ビーズ、スポンシ型にする。小スペースで液気体がくぐり抜ける特徴をもつ粒、粉、板。
尚、この形状にする際には、請求項の投入剤の内、接合液のみを除き、それぞれの材質の成形条件で可。またアクリル等、投入品無しの透明材でその儘、光触媒技術によるビーズとして紫外線透過用として、ガラス、発泡ガラスの代りとして広く使用する。又、サンゴ礁その他目殻等も含す。
【請求項４】
上記請求項で得たビーズ等は、気、液体の通過し易い簡単なパイプ、ホース、及びフイルターケース等の中で有効に改質されるため、その装置は、特殊なもの即ち、植物のためのトウモロコシの糸でできた外部多孔袋。ホース内３段階異種ビーズ入仕切り装置。スポンジ型苗床板等である。
また、繊維質でやし殻、活性炭、竹炭の通不定形品の袋にも将来、毒性として残るプラスチックを使用しないで上記と同じとした。
【発明の詳細な説明】
【０００１】
【産業上の利用分野】
環境事業に関する。
【０００２】
【従来の技術】
母材に金属、ガラス、ビーズ等を使い、担持したものはあった。
【０００３】
【発明が解決しようとする課題】
従来、光触媒酸化チタン粒等は、次の通りであった。
１）母材にガラス、金属、石、セラミックが多く中孔ではなかったもの多し。
２）担持法が多く、表面がはがれ易かった。
３）表面積の小粒が多かった。
４）重量の大母材が多く、高価だった。
５）形状がボール、粒、板に限られていた。
【０００４】
【課題を解決するための手段】
上記、課題のため、下記手段をとる。
１）粒の母材材質を多種類に増大し廃材を多く使用する。
２）成形製作するものは中孔型にし、瘤付とする。
３）母材に穀物の殻、実、種子を多量に使用し、推肥にする前に役割を果たす。
４）母材の中で、管、溝等の内面にバインダー接着方式をやめ、混練、混入又は同時成形する。
５）板、筒等をスポンジ状にし、表面積を増大する。
６）やし殻、竹等は活性炭に加工の上に担持する。
【０００５】
【作用】
混入、担持された触媒粒、スポンジ等をくぐり抜ける際に夫々の用途別に液気体は作用し、次に示す効果を生む。
【０００６】
【実施例】
図１は成形樹脂製の中孔粒を示し、表面に上記トルマリン鉱石粉他数種の配合材をバインダーである水性エポキシに混入、担持した。表面凹凸を利用して光触媒酸化チタンを担持すると、水のくぐり抜け用粒として袋に入れ、管内部に封入使用した。本件トルマリン鉱石５％他、も混入。尚、光触媒用には、アクリル、ポリカーボネイトの透明で押出し成形をし、表面担持法と成形材料の中に諸材を混合するのと２種採用した。後者は、担持が不要。透明性低下でもＯＫのビーズに採用した。図２は、プラスチックスポンジシートの表面の中に上記と同じ粉末等を埋め込みしたもの。農作業用消毒水の改質用として使用、屋根上にあげたこのポリウレタンスポンジの上を頂斜による流れ途中に改質された。特に農作業用には、植物の高根活力を得るホルモン剤を１５％入れた。図３は、スパイラル管内部にトルマリン鉱石粉１０％その他同時成形紙母材粒を封入し臭気ぷんぷん気体を消臭の目的でくぐらせると入口の気体は出口に到達する数秒の間に改質された。又、中の粒性能を変更し、植物育成用の巻き取りホース、リールチューブの中に入れ封入すると、５０ｍ以上の長さが改質距離となった。さらに近似形状でチューブ作成時にトルマリン鉱石粉等、その他配合材を材料に混練りしたもので成形すると、中に上記粒を封入の必要がなく改質された。図４は、チューブの肉内に粉を混練り後成形して成る改質チューブで粒封入より簡素化したもの、シャワー用ホース他に掃除機の吸引ホースに使い良結果で、フィルターの兼用も可となった。さらに、生花、活花、鉢花等の容器内にトウモロコシの糸袋に入れた根活力強化剤入り無光触媒粒を入れ茎活力、花の寿命、等植物の持続性、花の色のあでやかさ及び花の粒揃い性等の調査実施をした。水のみの花瓶、土入りの植木鉢の何れも、茎の近くの上に敷き詰めると良いことが判明した。そして畠、山、砂漠等、水を必要とする植物の成育には、土の数倍の吸保水性が大きな力を発揮する。
図５は、図１の断面を示す通りで、角のＲと瘤と両端面の傾斜が、ビーズの重なりを除ぎ表面積を大にした。またマイナスイオンは成型前に混練りしたので、長寿命となり、気体、液体のくぐりけの多回数に対処できた。
さらに、図表示はしていないが、ゴム、板、筒等の中に上記と同じ埋め込みによると、洗濯回数の高い長寿命のフエイスマスク、腰シート、敷きシーツとしても応用できた。
図６は、やし殻、セルロース、竹、木材の発泡表面を示す物を母体にトリウム、アピダス、天然ホルモンを５％〜２０％（ＷＴ）量担持し、植物の成育、畜産舎消臭、冷蔵庫その他気体改質粒とした。
【０００７】
【発明の効果】
本発明は、次の効果を奏する。
１）蕎麦殻、籾殻等廃品利用でコスト低下、及び古紙、古プラスチック等で捨てるものがなくなった。特に本質的に保有する消臭効果をもつ、やし殻や竹炭。サンゴ礁のイオン効果が多かった。
２）現在の溝、管、及び容器等の中に粒を封入することでスクッラップが減少しコスト安となった。
３）粒表面の粗さが変わったため、粉末他の接着性が向上し耐久性が向上した。
４）性能を発揮する素材が上述の如く機能向上に役立った故。植物の根活力の向上による各植物の成育向上。殺菌力の向上による有機化合物の除去。防錆、防カビ、防汚性効果の向上。消臭力の向上。酸化還元電位の変化（水道水６００に対し約２００の低下）による転換改質ができた。
５）殻、実、の内特に籾殻には、Ｓｉｃが含まれているため、長期に使用でき硬さ感触を好む人の枕などには蕎麦殻よりも良い感じ効果を得られた。
６）汚れ易いトイレ、及び料理水排水場等は、洗浄に必要な大量の水を必要としたが、汚れなく、カビが出ない上に、風呂に使うとレジオナ菌等の殺菌効果が有ることが判り、沸かし湯が使え、水の節約となった。
７）直管では改質距離不足の場合、粒、ビーズ等の表面積を大きくして小寸法で改質効果を得ることができることが判明したが、工業用の切削液の改質に好結果を得たのは、配管チューブをスパイラルにし空間の利用で防錆、切削性、浸透性、等の向上。さらにクーリングタワーの水質改善による、レジオナ菌殺菌性、防藻性、防カビ性、防錆の大きな効果を得た。
８）古紙の発泡粒は、比重０．１になり軽量のため、自動車、航空機等乗り物
の消臭剤を軽くできた。
９）畜産場で強臭気体を改質する送風装置が古紙粒の改質効果で今迄の発泡ガラス母材に比べ５倍向上し管径を小（φ５００→φ２３０）にできた。
１０）板、筒、粒、溝、等種々の用途に効果のある、多種法がとれることの確率ができた。
１１）粒、その他小体積の大効果となる上、混合の相乗効果で省スペース装置となった。
１２）海中プランクトン等、ホース内に入れた粒径の変化で死滅する。即ち、小粒→中粒→大粒順に入れると中間で弱体化。
１３）天然植物ホルモンが配合されているため、水はまろやかになり、肌をさすことがない。又気体の場合は、森林の中と同じくイオン上昇を助ける。
１４）天然植物ホルモンの働きで紙、セルロース発泡ビーズを母材にしたものは、毛細根の発生が多く、根をしっかりと降し、後に茎→花にしっかりとした植物に育つ。
１５）ビーズも板も袋も最後は、土の代理以上の堆肥とし、また水不足をカバーする保水庫として地球を助ける。
【図面の簡単な説明】
【図１】本発明の有孔粒（ビーズ）の側面図である。
【図２】本発明のスポンジ板の斜視図である。
【図３】本発明のスパイラルチューブの外観図である。
【図４】本発明の内面瘤付きチューブの断面図である。
【図５】図１のビーズ断面図である。
【図６】本発明の発泡、多孔体ビーズの表面拡大図である。
【図１】
2004337832.tif 000003
【図２】
2004337832.tif 000004
【図３】
2004337832.tif 000005
【図４】
2004337832.tif 000006
【図５】
2004337832.tif 000007
【図６】
2004337832.tif 000008